(57)【要約】本発明は、流体との接触を通じて、食物を含んでいる容器(５)を加熱する装置に関する。前記容器 (５)の下側部分、流体供給貯留部(９、３１)および前記流体を加熱するユニット(１２)。本発明は、前記装置が前記加熱ユニット(１２)から出現する上昇部（１８）を介して、所定の加熱流体流れを、前記容器(５)の壁へ向けて指向されている分配部材(１９)へ移送するように設計された熱ポンプを備えることを特徴としている。
2005507295.tif 000002
【特許請求の範囲】
【請求項１】
流体との接触によって食物を包含する容器(５) を加熱し、前記容器(５) の下側部分に、流体を供給する貯留部(９、３１)と前記流体を加熱するユニット(１２)とを有する装置であって、
前記加熱ユニット(１２)に開口して上方へ伸びる導管(１８)を介して、加熱された流体の所定の流れを、前記容器（５）の壁に向けて指向された分配用器官(１９)へ移送可能な熱ポンプを有することを特徴とする装置。
【請求項２】
前記容器(５)は、再生用導管(２４、３５)によって前記貯留部(９、３１)に接続された流体回収用包囲体(６、３４)の内部に配列されることを特徴とする請求項１に記載の装置。
【請求項３】
前記容器(５)は、前記包囲体内の流体の流体面上方のグリッド(７)により支持されることを特徴とする請求項２に記載の装置。
【請求項４】
前記装置は、前記包囲体(６、３４)を閉じる蓋(３７)を備えることを特徴とする請求項２または３に記載の装置。
【請求項５】
前記熱ポンプは、貯留部(９、３１)から分配用器官(１９)へ向けて流体を断続的に移送することを特徴とする請求項１ないし４のいずれかに記載の装置。
【請求項６】
前記分配用器官(１９)は、前記容器(５)の上側部分へ開口していることを特徴とする請求項１ないし５のいずれかに記載の装置。
【請求項７】
前記分配用器官(１９)は、前記容器へ向けて指向された少なくとも１つの流体流オリフィス(２１)を有するシュート(２０)であることを特徴とする請求項１ないし６のいずれかに記載の装置。
【請求項８】
前記シュート(２０)は、前記容器(５)をその上側部分において少なくとも部分的に取囲むことを特徴とする請求項７に記載の装置。
【請求項９】
前記シュート(２０)は、その周囲上で均一に間隔を置かれた幾つかの所定径の流れオリフィス (２１)を有していることを特徴とする請求項７または８に記載の装置。
【請求項１０】
前記加熱ユニット(１２)に対して上げられた前記貯留部(９)の上方に位置された包囲体（６）が内部に配置されたハウジング (１)を備え、加熱ユニット(１２)は、上方へ伸びる導管(１８)によって前記シュート(２０)に連通されていることを特徴とする請求項２ないし９のいずれかに記載の装置。
【請求項１１】
前記加熱ユニット(１２)の作動を制御する計時ユニットを備えることを特徴とする請求項１ないし１０のいずれかに記載の装置。
【請求項１２】
前記加熱ユニット(１２)の電気的発熱体(１４)の温度を調節する手段(１５)を備え、少なくとも２つの別個の温度での作動を可能にすることを特徴とする請求項１ないし１１のいずれかに記載の装置。
【請求項１３】
前記包囲体(６)の内部で前記容器(５)の支持体を形成する手段を有し、異なる寸法を有する容器と共に装置を使用するのを可能にしていることを特徴とする請求項１ないし１２のいずれかに記載の装置。
【請求項１４】
加熱される容器(５)の下側部分に、水貯留部(９)および貯留部(９)に含まれている水を加熱するユニット(１２)を有する哺乳瓶ヒータであって、
前記加熱ユニット(１２)へ開口して上方へ伸びる導管(１８)を経由させて、前記容器(５)の壁に向けて指向された分配用器官(１９)へ加熱された水の所定の流れを移送可能な熱ポンプを有し、その後水が再生用導管(２４)を介して貯留部(９)に戻ることを特徴とする哺乳瓶ヒータ。
【発明の詳細な説明】
【技術分野】
【０００１】
本発明は、哺乳瓶、ベビーフードのために意図された小さなジャー、あるいは幼児のための食物を含んでいる皿を加熱するために使用される装置のような、液体あるいは固体の食物を含んでいる容器を加熱する装置に関する。
【背景技術】
【０００２】
ベビーフードを熱するための既知の装置では、熱が加熱される容器に近接して配置された電気抵抗によって発生され、この容器との熱交換は、容器を囲む空気の覆いを介して、蒸気、あるいは水によって起こることができる。
【０００３】
現在用いられている加熱装置は、哺乳瓶あるいは小さなジャーが突っ込まれ、ある量の水を有する加熱タンクにより構成されている湯せんの原理により、機能している。かかる装置は、特許文献１に記載されている。かかる装置の温度調節は、所定の温度で加熱タンクの発熱体への電流を遮断するサーモスタットによって達成される。このような調節では、加熱される容器内で最適温度に到達させることは困難である。さらに、容器は湯を含んでいるタンクに浸されているので、この容器の温度は、加熱が停止された後でさえも上昇し続ける。そのような装置の最も大きな欠点は、熱される水の熱慣性による実質的な加熱時間に存する。
【０００４】
これらの欠点は、特許文献２または３に記載されたような蒸気加熱装置によって部分的に軽減された。これらの文献では、加熱される容器は、水を含み電気抵抗によって加熱されるタンクの上方の加熱包囲体に置かれた哺乳瓶であり、該包囲体は上側部分において大気と連通するオリフィスを有する蓋によって閉じられている。電気抵抗は、タンクに含まれている水を、哺乳瓶を加熱する蒸気に変える。この装置は、前述のものより短い加熱時間を提供するが、しかし、タンクの水を加熱し蒸発させるのに到達するまで、やや長い時間待つことが必要である。さらに、哺乳瓶の外表面が、蒸気との接触により非常に熱いので、加熱の終了直後に哺乳瓶をつかむ場合、ユーザが火傷するかもしれない。
【０００５】
さらに、本出願人名義の特許文献４から、貯留部から氷水を吸い上げ、冷やされるボトルのキャップ上にそれを送るポンプを利用することによって、調整される飲料冷却装置が知られる。しかしながら、ボトルを冷やすためだけに設計されているこの装置は、高価な構成部品、すなわち、電動ポンプを使用するので、高価である。さらに、ボトル上への水の散布が不規則に行われるので、この装置を正しく機能させるためには温度センサーを用いねばならず、このことがコストをさらに上昇させると共に、装置の複雑さを増している。
【０００６】
【特許文献１】
独国特許第８７８ ９９０号明細書
【特許文献２】
米国特許第１，９７７，４８２号明細書
【特許文献３】
仏国特許第２，７５３，０７１号明細書
【特許文献４】
仏国特許第２，７８８，６７７号明細書
【発明の開示】
【発明が解決しようとする課題】
【０００７】
本発明の目的は、上に引用された欠点を克服し、極めて迅速に食物を含んでいる容器を加熱する装置を提案し、且つ、加熱される食物の最適温度を保証することである。
【０００８】
本発明の他の目的は、容器の内容物の温度の安定性を保証することができ、加熱の終了から同時に容器の完全に安全な把持を可能にする、食物含有容器の加熱装置である。
【０００９】
本発明の補足の目的は、単純な構造を呈し、最小のコストで商業的に製作することが容易である一方、作動において信頼できる、食物含有容器の加熱装置である。
【課題を解決するための手段】
【００１０】
これらの目的は、流体との接触によって食物を包含する容器を加熱し、前記容器の下側部分に、流体を供給する貯留部と前記流体を加熱するユニットとを有する装置であって、前記加熱ユニットに開口して上方へ伸びる導管を介して、加熱された流体の所定の流れを、前記容器の壁に向けて指向された分配用器官へ移送可能な熱ポンプを有することを特徴とする装置によって達成される。
【００１１】
流体によって、液体あるいはガス、例えば水、蒸気、あるいは、加熱ユニットと加熱される容器との間で熱を蓄え輸送することができる他の熱運搬流体と理解する。
【００１２】
本発明によれば、装置は、加熱された流体を食物を包含している容器へ移送することができる熱ポンプを有している。熱ポンプによって、上流では、一方向弁によって流体の貯留部に、下流では、加熱された液体を例えば分配用器官によって加熱される容器に向けて流すのを可能とする、上方へ伸びる導管ないしは戻りチューブに連結された加熱ユニットを有する流体の加熱および揚程装置を理解しよう。一方向弁は、流体の貯留部から加熱ユニットへの受容れを可能とするが、貯留部への全ての戻りを防止する。
【００１３】
流体を加熱するユニットは、電気的な発熱体と熱導通する流体循環パイプによって構成されている。ボイラーを形成する流体循環パイプは、蹄鉄形へ曲げられ、電気的に加熱されるプレート、または電気抵抗に連結されたチャンネルでよく、この事実によって、通過する流体は温度が急速に上昇する。
【００１４】
かかる熱ポンプは、流体を供給する貯留部と加熱される容器との間に配列されている。したがって、貯留部からの流体は、一方向弁を通り抜けつつ、重力によってボイラーの中に到達する。電気抵抗は、流体、例えばボイラーの中にある水を急速に加熱し、沸騰させる。蒸気圧が、上方へ伸びる導管内の水の上昇、次に、加熱される容器へ向けての放逐を引起す。ボイラーに含まれていた流体の全体を排出すると、上方へ伸びる導管が空になることに続いての空中への露出の故に圧力が低下する。その後、ボイラーは、貯留部から来る流体で再び満たされ、そして、サイクルが再び始まる。かかる熱ポンプは、より精巧な流体ポンプ手段を必要とすることなく、簡単で経済的な方法で、貯留部の水の水面より上方への加熱流体の流れを保証する。
【００１５】
そのような加熱ユニットを利用する他の利点は、ボイラーの電気的発熱体の単純なサーモスタットの調節によって、ボイラーを出る流体の温度を制御し、一定に維持することに到達するということである。かくて、一定である、ボイラーをでる流体の温度、流体の流れ、すなわち、ボイラーの容量に等しく配分される流体量、および流体の容器との接触時間を知ることにより、容器に含まれている食物の最終的な加熱温度を正確に決定することができる。かくて、量と容器の内容物の関数として、前記容器の加熱時間を選ぶことができる。
【００１６】
有利には、前記容器は、再生用導管によって前記貯留部に接続された流体回収用包囲体の内部に配列される。
【００１７】
容器を囲む空間内に、この流体を集め、保持することができる回収用包囲体内に置かれた容器へ向けて、加熱された流体を送ることを確かに想定することができる。装置の外部へ向けて、この流体を空にすることも等しく想定することができよう。しかしながら、流体を貯留部へ向けて送り、かくて装置の内部で流体を機能させる閉回路を得ることにより、それを再利用することを選ぶ。これは、明らかにより経済的で、より実際的な利用であると証明している。
【００１８】
好ましくは、前記容器は、前記包囲体内の流体の流体面上方のグリッドにより支持される。
【００１９】
グリッドによって、一つの空間から他方へ流体を通過させる少なくとも１つの横断するオリフィスを有し、二つの空間を分離するプレートが理解される。前記容器を支持するグリッドは、ボイラーの流量より大きなグリッド通過流量を可能にする通路断面を、好ましくは、有している。この事実によって、容器は加熱された流体に浸され続けられることがなく、かつ、その温度は、一旦、加熱が停止されると、もはや増加し続けない。これは、容器がその最初にプログラムされた温度を保持することができるという効果を有している。
【００２０】
有利には、前記装置は、前記包囲体を閉じる蓋を備える。
【００２１】
これは、閉じた雰囲気内での容器の加熱を可能とし、より迅速であり、加熱が停止された後のある時間、容器の温度を一定に維持するという利点を呈す。
【００２２】
有用的には、前記熱ポンプは、貯留部から分配用器官へ向けて流体を断続的に移送する。
【００２３】
ボイラーに関連した熱ポンプは、加熱される食物を含んでいる容器へ向けて加熱流体を一度に送るに充分な大容量を有するか、あるいは小さな動き代を有する一方向弁に関連されることでさえ、確かに想定することができよう。変形例では、断続的な機能を可能にすべく、充分に大きな動き代を有する弁に関連された小さな容量を有するボイラーを選んでいる。それは、より急速にある温度に到達するからである。このボイラーは、反復的に、前記容器に向けて炸裂的に加熱流体を送ろうとし、一度に送られる量はボイラーの容量に一致する。所定の期間内に容器に向けて送られる炸裂の回数および容量は、加熱される容器への流体の熱供給量を定義する。この事実によって、既知の熱容量を有する流体の既知の容量の炸裂の回数を選ぶ際に、所与の容量および所与の内容物を有する容器に、容易にそれを適応させることができる。かくて、炸裂の回数を変えることによって、容器が異なる容量および内容物を有する状態で、装置を利用することができる。
有利には、分配用器官は、前記容器の上側部分へ開口している。
【００２４】
分配用器官は加熱流体を容器の下側または側部分に送ると想定することができよう。しかしながら、加熱される容器の上側部分に噴霧するのが好ましい。何故なら、上側部分に到達した流体は、その後、重力によって容器の壁に沿って流れ、より長い接触時間を可能にして、容器との熱伝導を改善するからである。
【００２５】
好ましくは、前記分配用器官は、前記容器へ向けて指向された少なくとも１つの流体流オリフィスを有するシュートである。
【００２６】
もちろん、容器の下方に噴霧することを想定することができるはずである。その場合には、ボイラーから到達している導管は、ヘッドが加熱される容器の上方に置かれた噴霧器、あるいはスプリンクラーに開口するであろう。あるいは、容器の間接的な噴霧でさえも想定することができるはずである。ここでは、ボイラーから到達する流体が分配のためにドームの内部表面に放出され、その後、この流体を加熱される容器へ向けて送るであろう。しかしながら、前記容器へ向けて指向された流れオリフィスに開口しているシュートにより終えられている導管によって、加熱流体が経路付けられている噴霧が好まれる。何故なら、加熱される容器に向けて送られる流体ジェットを、経路付け、方向付け、かつ、より正確に校正することさえできるからである。
【００２７】
有利には、前記シュートは、前記容器をその上側部分において少なくとも部分的に取囲む。
【００２８】
このために、シュートは回収包囲体の直径と等しいか、それより大きな内側の直径を有している。容器の上側部分の周囲上で少なくとも部分的に加熱される容器に噴霧すべく、いくつかのオリフィスがシュートの壁に設けられており、これは、より均一で、より迅速な加熱をもたらす。
【００２９】
好ましくは、前記シュートは、その周囲上で均一に間隔を置かれた幾つかの所定径の流れオリフィスを有している。
【００３０】
オリフィスの数および直径は、容器を噴霧する流体の流量を決定する。シュートの周囲におけるオリフィスの一定の間隔は、容器の内容物の均質な加熱を可能とする。変形例では、シュートに関して可動に取付けられ、加熱される容器の内容物や容器の大きさに対し流体の流量を適合させるために、あるオリフィスを遮蔽する、例えば、プレートの形態の流れ調節装置を想定することができる。
【００３１】
有利には、本発明の装置は、前記加熱ユニットに対して上げられた前記貯留部の上方に位置された包囲体が内部に配置されたハウジングを備え、加熱ユニットは、上方へ伸びる導管によって前記シュートに連通されている。
【００３２】
層をなした要素を利用するそのような構成は、流体の単純な閉回路循環を可能とし、流体は回収包囲体から貯留部に重力によって流れ、そこから加熱ユニットに流れ、そして、そこから流体は熱ポンプによって上側部分に送り込まれる。
【００３３】
好ましくは、本発明の装置は、前記加熱ユニットの作動を制御する計時ユニットを備える。
【００３４】
計時ユニットは、加熱時間、あるいは加熱される品物の量に対応する目盛を有する電気機械式または電子式調整器であってもよい。調整器は、あらかじめ選択された時間に依存して、加熱の開始および停止を制御する電子回路に接続されており、加熱される容器の最終温度をかくて決定する。
【００３５】
有利には、本発明の装置は、前記加熱ユニットの電気的発熱体の温度を調節する手段を備え、少なくとも２つの別個の温度での作動を可能にする。
【００３６】
かくて、加熱ユニットの温度を変えさせることにより、同量の加熱される品物に対し、可変の加熱時間を得ることができる。付随的に、伝熱流体としての水と適切なボイラーとを使用することによって、本発明の装置は、湯および／または蒸気を加熱される容器の壁へ向けて分配できると想定することもできる。例えば、湯および／または蒸気を生じさせるのにふさわしい一つのボイラーは、本出願人名義のFR ２ ７２１ ３８１に記載されたような、ベンドを備えた垂直ボイラー、あるいは、水平または垂直のＵ型ボイラーであり、その加熱力および／または時間は、ボイラーの出口で水および／または蒸気を得るために選択される。
【００３７】
好ましくは、本発明による装置は、前記包囲体の内部で前記容器の支持体を形成する手段を有し、異なる寸法を有する容器と共に装置を使用するのを可能にしている。
【００３８】
支持体を形成する手段は、移動可能なグリッド、およびそれを変位させ、前記包囲体内で異なる高さに固定する手段、または加熱される容器の高さの関数として、前記包囲体内に一つずつ配置され得る、異なる高さのシリンダの一組である。かくて、非常に単純な適合手段を使用することによって、同じ装置の内部に、異なる寸法の哺乳瓶、加熱される食物を含んでいる小さなジャーあるいは皿のような多かれ少なかれ深い容器を配置することができる。
【００３９】
有利には、前記発明は、加熱される容器の下側部分に、水貯留部および貯留部に含まれている水を加熱するユニットを有する哺乳瓶ヒータであって、前記加熱ユニットへ開口して上方へ伸びる導管を経由させて、前記容器の壁に向けて指向された分配用器官へ加熱された水の所定の流れを移送可能な熱ポンプを有しているという事実により、その後、水が再生用導管を介して貯留部に戻る。
【００４０】
そのような装置は、哺乳瓶の内容物の迅速な加熱および哺乳瓶の内部の温度の信頼できる調整を保証する。さらに、加熱が哺乳瓶の壁上の湯の流れにより達成されているので、この容器は加熱が終了したとき、火傷の危険なく、ユーザによって把持され得る。
【発明を実施するための最良の形態】
【００４１】
本発明は、非限定的実施例により得られ、かつ添付の図面に示された実施の形態を研究することから一層よく理解されるであろう。
【００４２】
図１は、本発明の第一の実施形態による装置を示し、それは、哺乳瓶を加熱する状態で表わされているが、赤ん坊のための食物を含んでいる小さなジャーあるいは皿を加熱するためにも等しく利用され得る。装置は、基部２およびそれを上側の蓋３に接続するスカート４を有するハウジング１を備えている。ハウジング１の内部には、加熱される容器を収容すべく意図されたキャビティ１６が見られる。
【００４３】
キャビティ１６は、ハウジング１の内部に配列され支持された、好ましくは、円筒形状の包囲体６によって具体化されている。包囲体６は、その全高を超える大きな寸法を備える哺乳瓶の形式の容器を収容することができるように充分に深い。上側部分には、包囲体６は、以下に詳細に説明されるように、分配用器官１９の維持を保証する、溝の形態の縁８を有している。包囲体６は、下側部分に、１つあるいはいくつかの横断するオリフィス２４を有している底壁７を有している。
【００４４】
底壁７は、包囲体６を流体供給貯留部９から分け、流体は包囲体６からオリフィス２４を経由して貯留部９へ循環することができる。
【００４５】
流体貯留部９は、包囲体６と一体であるか、あるいはこの後者および装置のハウジング１に関して取外し可能に取付られてもよい。本発明の実施形態の好ましい変形例によれば、利用される流体は水であり、引き続く説明では、水を用いた装置の使用に言及するが、しかしながら、蒸気、油等のような他の熱運搬流体を排除するものではない。
【００４６】
貯留部９は、流れオリフィス１０を経由して供給導管１１に連結され、これを介して、流体がボイラー１２を形成する加熱ユニットに到達する。一方向弁２５が導管１１内に取付られ、それは、貯留部９からボイラー１２へ向かう水の循環を許し、ボイラーから貯留部への水の全ての戻りを防止する。図４は、開位置にある弁２５を示し、この弁は本体２８と弁２５の本体２８の内部で水の圧力により変位されている球体２６とを有している。
【００４７】
ボイラー１２は、Ｕすなわち蹄鉄の形で装置の基部２の内部に水平面に配列されている流体循環パイプ１７と、パイプ１７と同じ形を有し、その下側部分に対抗して固定されている発熱体１４とによって構成されている。パイプ１７は、例えば、熱良導性の金属材料で作られている。発熱体１４は、パイプ１７に例えば溶接によって熱導通状態に取付けられたシース抵抗によって構成されてもよい。
【００４８】
ボイラー１２のアセンブリは、装置の基部２の内部で支持プレートに取付られている。ボイラーは、発熱体１４に電気的に接続されている、例えば、バイメタル式のサーモスタット１５によって表わされる、熱調節器官を等しく備えている。サーモスタット１５は、Ｕの形をしている発熱体１４の中央領域に置かれ、基部２の内部で同じ支持プレートに固定されている。調節は、ボイラーと熱接触状態のＮＴＣセンサーの助けを借りて等しく達成される。センサーは加熱時間および電力を制御する電子カードに接続されている。
【００４９】
ボイラー１２は、上方へ伸びる流れ逆転導管１８によって、装置のハウジング１の上部に位置された分配用器官１９へ接続されている。分配用の器官１９は排出オリフィス２１が設けられたシュート２０によって構成されている。シュート２０は環状体形態を有し、包囲体６の周囲の上側部分に配列されている。シュート２０は、実際には、包囲体６そして結果的に、包囲体の内部に同心に位置された容器５を完全に囲んでいる。シュート２０の内側の直径は、包囲体６の内側の直径のものに近い寸法を有している。溝２０の断面の内側の直径は、シュート６における圧力損失を防ぐために、上方へ伸びる導管１８の直径に等しいか未満でさえある寸法を有している。
【００５０】
図２は装置の断面における部分的な図を示し、ここでは、シュート２０が包囲体６の溝８を形成している上側の縁によって支持されているのを知ることができる。装置のハウジング１の上部の蓋３は、シュート２０をその上側部分内に覆い、そして、水の外部へ向かう飛散を防止するように傾斜された内部壁を呈している。壁は水を包囲体６の内部へ向けて指向させる。シュート２０は、その内側面の周囲に等距離に配置された幾つかのオリフィス２１を有している。図３の詳細で一層よく分かるように、オリフィス２１は、シュートの横断面の水平軸線に対し傾斜角αを有し、この角度は、流体のジェットが加熱される容器の壁への良好な入射方向を有するように、かつ、飛散を避ける一方、容器の壁に沿って流れるように計算されている。この実施例の構成では、傾斜角αは凡そ３０°である。
【００５１】
図１において見られるように、装置は、加熱の形相を命じる制御ボタン２３を等しく備えている。ボタン２３は、あらかじめ選択された期間が過ぎたら直ちに発熱体１４の供給を停止させる電気回路に接続された調整装置であってもよい。ボタン２３は、加熱形相の制御用の電子カードに接続され、加熱される食物の量の選択のためのボタンであってもよい。
【００５２】
作動では、ユーザが水で貯留部９を満たすことにより始める。貯留部９は、熱ポンプをドレンすることなく、ボイラーの連続的な作動を可能とするために充分に大きな容量、例えば少なくとも３００ｍｌを有している。ユーザは、その後、装置のキャビティ１６へ加熱される容器、例えば、哺乳瓶５を置き、そして、哺乳瓶に含まれている加熱される液体の量の関数として加熱形相を制御すべく選択ボタン２３を操作する。発熱体１４は、水の温度を急速に上昇させ、ボイラー１２の中でほとんど瞬間的に沸騰に至らしめる。蒸気圧は、上方へ伸びている導管１８内の水の上昇を誘発し、弁２５が水の貯留部９への戻りを防止している。上方へ伸びている導管１８を介してシュート２０に到達した熱湯は、オリフィス２１を通って排出され、加熱される哺乳瓶の周囲を流れる。哺乳瓶上を熱湯が流れた後に、この熱湯は、包囲体６の壁７の流れオリフィス２４を通り抜けることにより、貯留部９へ戻る。上方へ伸びる導管１８が空になるのに続き、ボイラー内部の圧力が低下する。これはボイラーの弁２５を通る水での再充填を生じさせ、そして、新しいサイクルが始まる。
【００５３】
全体の加熱形相中に、シュート２０は、ボイラー１２の容量および発熱体１４の出力の関数である時間間隔で互いに続く、水の炸裂でもって、哺乳瓶５を濡らす。水は一定の温度で炸裂中を流れるので、哺乳瓶の最終温度を変えるためには、流れの時間を変えることで充分である。
【００５４】
本発明の構成の一実施例では、９.５ｍｌの容量と約８０〜８５℃の温度で熱湯を供給する５００Ｗ出力の発熱体を有するボイラーについて、この間隔は、２〜３秒である。したがって、哺乳瓶は、約２〜３.５分の遅れで、３５〜４５℃の間である消費用の最適温度に急速にもたらされる。この遅れは、哺乳瓶が含でいる液体の量の関数として決定される。哺乳瓶を加熱する時間が、約６〜７分である湯せんにおける従来の加熱と比べて、はるかに短いという事実が知られる。同じ方法で、練り物または固体の食物を含んでいる小さなジャーは、従来の装置による２０分の期間と比較して、本発明の装置で６〜８分の期間内に消費用の最適温度に達する。
【００５５】
本発明の構成の有利な変形例では、ハウジング１の上側部分を覆うベルの形をした蓋を有している。これは、加熱時間を短縮することにより装置の効率が改善されることを可能とし、同じく、装置を止めた後に容器を暖かく維持する機能の保証を可能にする。水は、包囲体６ではなく、包囲体の下に位置されている貯留部９に残るので、哺乳瓶の温度は、加熱の停止後にもはや増加しない。加えて、蓋は、この最終温度が少なくとも３０分間一定に維持されることを可能にする。
【００５６】
図に示されない変形例では、本発明の装置には異なる寸法を有し加熱される容器が使用のために設けられている。このために、包囲体６に穿孔された底を有するいくつかの円筒状の支持体を配列することができる。各支持体は、加熱される容器の上側部分がシュート２０の散水領域の近くにあるように、加熱される容器の高さに適合された高さを有している。
【００５７】
図５は、本発明の第二の実施形態による食物用の加熱装置を示しており、同じ参照符号が第一の実施形態の同様の部分を指示する。装置は、少なくとも部分的に取外し可能に積み重ねられたいくつかの部品から構成されるモジュールの構造を有している。装置は、発熱体１４、流体循環パイプ１７および調節用および加熱制御用の器官を囲む下側のハウジング３０を備えている。水貯留部３１は、ハウジング３３の内部に取外し可能に取付けられている。ハウジング３３は、その上側部分で、加熱される容器に散布される熱湯の回収のための包囲体を形成しているタンク３４を支持している。加熱される容器は、この図では、加熱される食物を包含する皿３６の形態で表されている。排出オリフィス２１を有するシュート２０は、容器３６をその上側部分で囲んでいる。蓋３７は皿３６の内容物を暖かく維持するのを保証する。
【００５８】
作動は、第一の実施形態による装置のそれと同一である。したがって、装置を作動に置いた後、貯留部３１に含まれていた冷水がボイラー１２のパイプ１７に到達し、ほとんど瞬間的に沸騰状態にもたらされる。熱湯が熱サイホン作用により上方へ伸びる導管１８へ、そこから、シュート２０へ通過し、そこから、熱湯は皿３６の周囲へ向けてオリフィス２１を通って排出される。皿３６の周囲を流れた後に、熱湯は、貯留部３１のオリフィス３８と連通しているタンク３４の流れオリフィス３５を通って貯留部３１へ戻る。かくて、いくつかのサイクルが、皿３６の最適加熱温度を得るまで互いに続く。
【００５９】
本発明の他の変形例および実施形態が、特許請求の範囲の構成から逸脱することなく構想され得る。したがって、本発明の装置を、殺菌されるべき容器を含んでいる閉じた包囲体へ蒸気を送ることにより、殺菌消毒装置として使用することを想定することができるであろう。
【図面の簡単な説明】
【００６０】
【図１】第一の実施形態による本発明装置の斜視図であり、装置の上側部分を示すために側壁の一部が軸の断面で削除されている。
【図２】図１の装置の部分的な断面図であり、図１の軸の断面の平面に直交する中央の平面Ａ−Ａを用いている。
【図３】図２の詳細Ｂの拡大図である。
【図４】図１の詳細Ｃの拡大した軸の断面図である。
【図５】本発明の第二の実施形態による装置の軸の断面図である。
【図１】
2005507295.tif 000003
【図２】
2005507295.tif 000004
【図３】
2005507295.tif 000005
【図４】
2005507295.tif 000006
【図５】
2005507295.tif 000007
【国際公開パンフレット】
2005507295.tif 000008
2005507295.tif 000009
2005507295.tif 000010
2005507295.tif 000011
2005507295.tif 000012
2005507295.tif 000013
2005507295.tif 000014
2005507295.tif 000015
2005507295.tif 000016
2005507295.tif 000017
2005507295.tif 000018
2005507295.tif 000019
2005507295.tif 000020
2005507295.tif 000021
2005507295.tif 000022
2005507295.tif 000023
2005507295.tif 000024
2005507295.tif 000025
2005507295.tif 000026
2005507295.tif 000027
【国際調査報告】
2005507295.tif 000028
2005507295.tif 000029
2005507295.tif 000030
2005507295.tif 000031
2005507295.tif 000032
2005507295.tif 000033